(57)【要約】【課題】適正な位置からの位置ズレを抑制することができるプロテクタ、及び、ワイヤハーネスを提供することを目的とする。【解決手段】ワイヤハーネスＷＨに適用されるプロテクタ１は、内部に導電性の主配索材Ｗ１が挿通される本体部１０と、本体部１０において主配索材Ｗ１から分岐した分岐配索材Ｗ２の分岐位置に開口して形成され分岐配索材Ｗ２を本体部１０の内部から外部に導出可能である位置合わせ切り欠き部２０と、本体部１０において主配索材Ｗ１の挿通方向Ｘに対して分岐位置を挟んで一対で形成され、分岐配索材Ｗ２に巻き回されて本体部１０に固定する巻き回し部材５０の一部を収容し当該巻き回し部材５０の挿通方向Ｘに沿った移動を規制する一対の移動規制凹部３０、４０とを備えることを特徴とする。【選択図】図１
2018023242.tif 000002
【特許請求の範囲】
【請求項１】
内部に導電性の主配索材が挿通される本体部と、
前記本体部において前記主配索材から分岐した分岐配索材の分岐位置に開口して形成され前記分岐配索材を前記本体部の内部から外部に導出可能である位置合わせ切り欠き部と、
前記本体部において前記主配索材の挿通方向に対して前記分岐位置を挟んで一対で形成され、前記主配索材、又は、前記分岐配索材に巻かれて前記本体部に固定される巻き回し部材の一部を収容し当該巻き回し部材の前記挿通方向に沿った移動を規制する一対の移動規制凹部とを備えることを特徴とする、
プロテクタ。
【請求項２】
前記本体部は、前記本体部に挿通された前記主配索材が位置する配置空間部を挟んで対向する一対の壁面部を有し、
前記一対の移動規制凹部は、前記壁面部の端部に形成された移動規制切り欠き部を含む、
請求項１に記載のプロテクタ。
【請求項３】
前記一対の移動規制凹部は、それぞれ、前記移動規制切り欠き部が前記一対の壁面部において前記挿通方向と直交する幅方向に対して対向する位置に一対で形成される、
請求項２に記載のプロテクタ。
【請求項４】
導電性の主配索材と、
前記主配索材から分岐した分岐配索材と、
内部に前記主配索材が挿通される本体部、前記本体部において前記分岐配索材の分岐位置に開口して形成され前記分岐配索材を前記本体部の内部から外部に導出可能である位置合わせ切り欠き部、及び、前記本体部において前記主配索材の挿通方向に対して前記分岐位置を挟んで一対で形成され、前記主配索材、又は、前記分岐配索材に巻かれて前記本体部に固定される巻き回し部材の一部を収容し当該巻き回し部材の前記挿通方向に沿った移動を規制する一対の移動規制凹部を含んで構成されるプロテクタとを備えることを特徴とする、
ワイヤハーネス。
【発明の詳細な説明】
【技術分野】
【０００１】
本発明は、プロテクタ、及び、ワイヤハーネスに関する。
【背景技術】
【０００２】
車両等に搭載されるワイヤハーネスのプロテクタとして、例えば、特許文献１には、ワイヤハーネス幹線を貫通させる樋形状で、その側壁にワイヤハーネス幹線より分岐する分岐線を取り出すための開口を設けたプロテクタが開示されている。このプロテクタは、上記開口が設けられたプロテクタ本体と、分岐用部材とからなり、当該分岐用部材をプロテクタ本体の開口両側の側壁に沿わせて位置調節できる構成となっている。
【先行技術文献】
【特許文献】
【０００３】
【特許文献１】特開平０９−０６５５４１号公報
【発明の概要】
【発明が解決しようとする課題】
【０００４】
ところで、上述の特許文献１に記載のプロテクタは、例えば、分岐線等を含む配索材の位置ズレ抑制の点で更なる改善の余地がある。
【０００５】
本発明は、上記の事情に鑑みてなされたものであって、適正な位置からの位置ズレを抑制することができるプロテクタ、及び、ワイヤハーネスを提供することを目的とする。
【課題を解決するための手段】
【０００６】
上記目的を達成するために、本発明に係るプロテクタは、内部に導電性の主配索材が挿通される本体部と、前記本体部において前記主配索材から分岐した分岐配索材の分岐位置に開口して形成され前記分岐配索材を前記本体部の内部から外部に導出可能である位置合わせ切り欠き部と、前記本体部において前記主配索材の挿通方向に対して前記分岐位置を挟んで一対で形成され、前記主配索材、又は、前記分岐配索材に巻かれて前記本体部に固定される巻き回し部材の一部を収容し当該巻き回し部材の前記挿通方向に沿った移動を規制する一対の移動規制凹部とを備えることを特徴とする。
【０００７】
また、上記プロテクタでは、前記本体部は、前記本体部に挿通された前記主配索材が位置する配置空間部を挟んで対向する一対の壁面部を有し、前記一対の移動規制凹部は、前記壁面部の端部に形成された移動規制切り欠き部を含むものとすることができる。
【０００８】
また、上記プロテクタでは、前記一対の移動規制凹部は、それぞれ、前記移動規制切り欠き部が前記一対の壁面部において前記挿通方向と直交する幅方向に対して対向する位置に一対で形成されるものとすることができる。
【０００９】
上記目的を達成するために、本発明に係るワイヤハーネスは、導電性の主配索材と、前記主配索材から分岐した分岐配索材と、内部に前記主配索材が挿通される本体部、前記本体部において前記分岐配索材の分岐位置に開口して形成され前記分岐配索材を前記本体部の内部から外部に導出可能である位置合わせ切り欠き部、及び、前記本体部において前記主配索材の挿通方向に対して前記分岐位置を挟んで一対で形成され、前記主配索材、又は、前記分岐配索材に巻かれて前記本体部に固定される巻き回し部材の一部を収容し当該巻き回し部材の前記挿通方向に沿った移動を規制する一対の移動規制凹部を含んで構成されるプロテクタとを備えることを特徴とする。
【発明の効果】
【００１０】
本発明に係るプロテクタ、及び、ワイヤハーネスは、主配索材が挿通される本体部に形成された位置合わせ切り欠き部によって主配索材から分岐する分岐配索材の分岐位置を位置合わせすることができると共に、位置合わせ切り欠き部を挟むようにして本体部に形成された一対の移動規制凹部によって主配索材、又は、分岐配索材に巻かれて本体部に固定される巻き回し部材が挿通方向に沿って移動することを規制することができる。この結果、プロテクタ、及び、ワイヤハーネスは、適正な位置からの位置ズレを抑制することができる、という効果を奏する。
【図面の簡単な説明】
【００１１】
【図１】図１は、実施形態に係るプロテクタが適用されるワイヤハーネスの概略構成を表す斜視図である。
【図２】図２は、実施形態に係るプロテクタの概略構成を表す斜視図である。
【図３】図３は、実施形態に係るプロテクタの組み付けについて説明する斜視図である。
【発明を実施するための形態】
【００１２】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１３】
なお、以下で説明する各図において、当該各図をわかり易くするため、配索材の詳細な形状を省略して図示している。
【００１４】
［実施形態］
図１、図２、図３に示すプロテクタ１は、自動車等の車両に搭載され、ワイヤハーネスＷＨに組み込まれ、導電性の配索材Ｗに外装され当該配索材Ｗを保護するものである。ここで、ワイヤハーネスＷＨは、例えば、車両に搭載される各装置間の接続のために、電源供給や信号通信に用いられる複数の配索材Ｗを束にして集合部品とし、コネクタ等で複数の配索材Ｗを一度に各装置に接続するようにしたものである。ワイヤハーネスＷＨは、導電性の配索材Ｗと、配索材Ｗが挿通されて当該配索材Ｗを保護するプロテクタ１とを備える。ワイヤハーネスＷＨは、この他、さらに、グロメット、固定具、コネクタ等を含んで構成されてもよい。配索材Ｗは、例えば、導電性の棒状部材の外側を絶縁性の被覆部によって覆った金属棒、複数の導電性の金属素線からなる導体部（芯線）の外側を絶縁性の被覆部によって覆った電線、当該電線を束ねた電線束等によって構成される。本実施形態の配索材Ｗは、主配索材Ｗ１と、当該主配索材Ｗ１から分岐した分岐配索材Ｗ２とを含んで構成される。主配索材Ｗ１は、幹線となるメインの配索材Ｗであり、線状に延在して形成される。分岐配索材Ｗ２は、主配索材Ｗ１の中腹位置から分岐した枝線となる配索材Ｗであり、線状に延在して形成される。そして、本実施形態のワイヤハーネスＷＨは、当該主配索材Ｗ１と当該分岐配索材Ｗ２とによって構成される配索材Ｗに組み付けられるプロテクタ１において、位置合わせ切り欠き部としての切り欠き部２０と、一対の移動規制凹部３０、４０とが設けられることで、配索材Ｗとプロテクタ１とを適正に固定し相対的に位置ズレし難いように構成されたものである。以下、各図を参照してプロテクタ１、ワイヤハーネスＷＨの構成について詳細に説明する。以下の説明で用いる各方向は、特に断りのない限り、プロテクタ１の各部が組み付けられた状態での方向として説明する。
【００１５】
具体的には、プロテクタ１は、絶縁性の樹脂材料によって略樋形状に形成される。本実施形態のプロテクタ１は、配索材Ｗの主配索材Ｗ１が挿通され当該主配索材Ｗ１が屈曲されて配索されるものであるがこれに限らず、当該主配索材Ｗ１が直線状に配索されるものであってもよい。プロテクタ１は、本体部１０と、位置合わせ切り欠き部としての切り欠き部２０と、一対の移動規制凹部３０、４０とを備え、これらが絶縁性の樹脂材料等によって一体成形される。
【００１６】
本体部１０は、内部に導電性の主配索材Ｗ１が挿通方向Ｘに沿って挿通され配索されるものである。挿通方向Ｘは、言い換えれば、プロテクタ１における主配索材Ｗ１の延在方向に沿う方向であり、ここでは上述したように屈曲した方向である。ここでは、本体部１０は、挿通方向Ｘの両端部、及び、挿通方向Ｘと直交する高さ方向Ｙの一方側が開口した略樋形状に形成され、挿通方向Ｘに沿って一方の開口から他方の開口まで主配索材Ｗ１が挿通される。本体部１０は、主配索材Ｗ１の周囲に外装され当該配索材Ｗを保護する。より詳細には、本体部１０は、一対の壁面部としての一対の側壁部１０ａ、１０ｂと、底部１０ｃとを含んで構成され、これらが一体で略矩形樋形状に形成される。
【００１７】
一対の側壁部１０ａ、１０ｂは、共に幅方向Ｚが板厚方向となる略矩形板状に形成され、幅方向Ｚに沿って間隔をあけて対向して位置する。幅方向Ｚとは、挿通方向Ｘの各位置において、当該挿通方向Ｘ、及び、高さ方向Ｙと直交する方向である。一対の側壁部１０ａ、１０ｂは、挿通方向Ｘ、及び、高さ方向Ｙに沿って延在する。ここでは、側壁部１０ａと側壁部１０ｂとは、挿通方向Ｘ、及び、高さ方向Ｙに沿った長さがほぼ同等となるように形成される。
【００１８】
底部１０ｃは、高さ方向Ｙが板厚方向となる略矩形板状に形成され、幅方向Ｚに対して一対の側壁部１０ａ、１０ｂの間に位置し、両端部がそれぞれ各側壁部１０ａ、１０ｂと接続される。底部１０ｃは、幅方向Ｚ、及び、挿通方向Ｘに沿って延在する。さらに言えば、底部１０ｃは、幅方向Ｚに沿って一対の側壁部１０ａ、１０ｂの間に延在し、幅方向Ｚの一方の端部から側壁部１０ａが高さ方向Ｙに沿って立設され、幅方向Ｚの他方の端部から側壁部１０ｂが高さ方向Ｙに沿って側壁部１０ａと同じ側に立設される。また、底部１０ｃは、挿通方向Ｘに沿って側壁部１０ａ、１０ｂの一方の端部から他方の端部まで延在する。また、底部１０ｃは、挿通方向Ｘの両端部に固定部１０ｄが形成される。各固定部１０ｄは、底部１０ｃの挿通方向Ｘの両端部から挿通方向Ｘに沿って突出して形成される略矩形板状の部分である。各固定部１０ｄは、挿通方向Ｘの両側に側壁部１０ａ、１０ｂから露出する位置まで突出して形成される。
【００１９】
本体部１０は、一対の側壁部１０ａ、１０ｂ、及び、底部１０ｃによって囲われた内部空間部が配置空間部１１として機能する。配置空間部１１は、配索材Ｗのうちの主配索材Ｗ１が挿通され、当該主配索材Ｗ１が位置する空間部であり、挿通方向Ｘの両側、及び、高さ方向Ｙの底部１０ｃとは反対側に開口する。言い換えれば、一対の側壁部１０ａ、１０ｂは、幅方向Ｚに対して配置空間部１１を挟んで対向し、底部１０ｃは、配置空間部１１の高さ方向Ｙの一方側を閉塞させる。本体部１０は、内部に形成される当該配置空間部１１内に主配索材Ｗ１が挿通され配索される。
【００２０】
切り欠き部２０は、本体部１０において主配索材Ｗ１から分岐した分岐配索材Ｗ２の分岐位置に開口して形成される部分である。切り欠き部２０は、主配索材Ｗ１から分岐した分岐配索材Ｗ２の位置合わせ用の切り欠きである。切り欠き部２０は、一対の側壁部１０ａ、１０ｂのうちの一方、ここでは、側壁部１０ａに形成される。切り欠き部２０は、高さ方向Ｙにおいて側壁部１０ａの底部１０ｃ側とは反対側の端部に形成される。切り欠き部２０は、当該側壁部１０ａを幅方向Ｚに沿って貫通し本体部１０の内外、すなわち、配置空間部１１と当該本体部１０の外側空間部とを連通する。ここでは、切り欠き部２０は、略矩形状に形成され、挿通方向Ｘに沿って延在する。切り欠き部２０は、分岐配索材Ｗ２を本体部１０の内部、すなわち、配置空間部１１から外部に導出可能である。
【００２１】
一対の移動規制凹部３０、４０は、本体部１０において主配索材Ｗ１の挿通方向Ｘに対して分岐配索材Ｗ２の分岐位置を挟んで一対で形成され、巻き回し部材５０の挿通方向Ｘに沿った移動を規制する部分である。巻き回し部材５０は、主配索材Ｗ１、又は、分岐配索材Ｗ２、あるいは両方に巻き回されて本体部１０に固定されることで、主配索材Ｗ１、分岐配索材Ｗ２を本体部１０に固定するものである。巻き回し部材５０は、例えば、粘着性の巻テープであるがこれに限らずいわゆる結束バンド等であってもよい。各移動規制凹部３０、４０は、巻き回し部材５０の一部を収容し当該巻き回し部材５０の挿通方向Ｘに沿った移動を規制するものである。
【００２２】
具体的には、本実施形態の一対の移動規制凹部３０、４０は、それぞれ側壁部１０ａ、１０ｂの端部に形成された移動規制切り欠き部としての切り欠き部３１、４１を含んで構成される。より詳細には、本実施形態の一対の移動規制凹部３０、４０は、それぞれ、当該切り欠き部３１、４１が一対の側壁部１０ａ、１０ｂにおいて幅方向Ｚに対して対向する位置に一対で形成される。つまりここでは、切り欠き部３１は、側壁部１０ａに形成された切り欠き部３１ａと側壁部１０ｂに形成された切り欠き部３１ｂとを含んで一対で構成される。切り欠き部４１は、側壁部１０ａに形成された切り欠き部４１ａと側壁部１０ｂに形成された切り欠き部４１ｂとを含んで一対で構成される。
【００２３】
切り欠き部３１ａ、４１ａは、高さ方向Ｙにおいて側壁部１０ａの底部１０ｃ側とは反対側の端部に形成される。切り欠き部３１ａ、４１ａは、当該側壁部１０ａを幅方向Ｚに沿って貫通し本体部１０の内外、すなわち、配置空間部１１と当該本体部１０の外側空間部とを連通する。ここでは、切り欠き部３１ａ、４１ａは、略矩形状に形成され、挿通方向Ｘに沿って延在する。そして、切り欠き部３１ａと切り欠き部４１ａとは、挿通方向Ｘに対して分岐配索材Ｗ２の分岐位置を挟んで一対で形成され、切り欠き部３１ａが移動規制凹部３０を構成し、切り欠き部４１ａが移動規制凹部４０を構成し、両者で一対の移動規制凹部３０、４０を構成する。ここでは、切り欠き部３１ａと切り欠き部４１ａとは、側壁部１０ａにおいて、挿通方向Ｘに対して分岐配索材Ｗ２の分岐位置に形成された切り欠き部２０を挟んで一対で形成される。言い換えれば、切り欠き部２０は、側壁部１０ａにおいて、挿通方向Ｘに対して切り欠き部３１ａと切り欠き部４１ａとの間に形成される。切り欠き部３１ａと切り欠き部４１ａとは、切り欠き部２０の挿通方向Ｘの両側にて当該切り欠き部２０と連通するようにして形成される。つまり、側壁部１０ａは、切り欠き部３１ａと切り欠き部４１ａと切り欠き部２０とが挿通方向Ｘに連続し、幅方向Ｚに貫通した貫通部分として形成される。ここでは、切り欠き部３１ａ、４１ａは、高さ方向Ｙに沿った長さが切り欠き部２０の高さ方向Ｙに沿った長さより短く形成される。
【００２４】
同様に、切り欠き部３１ｂ、４１ｂは、高さ方向Ｙにおいて側壁部１０ｂの底部１０ｃ側とは反対側の端部に形成される。切り欠き部３１ｂ、４１ｂは、当該側壁部１０ｂを幅方向Ｚに沿って貫通し本体部１０の内外、すなわち、配置空間部１１と当該本体部１０の外側空間部とを連通する。ここでは、切り欠き部３１ｂ、４１ｂは、略矩形状に形成され、挿通方向Ｘに沿って延在する。そして、切り欠き部３１ｂと切り欠き部４１ｂとは、挿通方向Ｘに対して分岐配索材Ｗ２の分岐位置を挟んで一対で形成され、切り欠き部３１ｂが移動規制凹部３０を構成し、切り欠き部４１ｂが移動規制凹部４０を構成し、両者で上記とは別の一対の移動規制凹部３０、４０を構成する。また、切り欠き部３１ａと切り欠き部３１ｂとは、幅方向Ｚに対して相互に対向する位置に形成され、切り欠き部４１ａと切り欠き部４１ｂとは、幅方向Ｚに対して相互に対向する位置に形成される。ここでは、切り欠き部３１ｂ、４１ｂは、高さ方向Ｙに沿った長さが切り欠き部３１ａ、４１ａの高さ方向Ｙに沿った長さとほぼ同等に形成される。
【００２５】
上記のように構成されるプロテクタ１は、図３に示すように、本体部１０の内部に形成される配置空間部１１内に挿通方向Ｘに沿って主配索材Ｗ１が挿通され配索されると共に、切り欠き部２０を介して分岐配索材Ｗ２が本体部１０の内部、すなわち、配置空間部１１側から外部に導出される。これにより、プロテクタ１は、分岐配索材Ｗ２が切り欠き部２０から適正に導出される位置関係で配索材Ｗに組み付けられることで、分岐配索材Ｗ２と切り欠き部２０との位置関係を基準として主配索材Ｗ１、分岐配索材Ｗ２とプロテクタ１とが適正な位置関係で位置決めされる。そして、プロテクタ１は、図１に示すように、分岐配索材Ｗ２が高さ方向Ｙに立設されるような位置関係で、主配索材Ｗ１、分岐配索材Ｗ２に巻き回し部材５０が巻き回され、当該巻き回し部材５０が本体部１０に巻き回されて当該本体部１０に固定されることで、主配索材Ｗ１、分岐配索材Ｗ２が当該巻き回し部材５０を介して本体部１０に固定される。巻き回し部材５０は、挿通方向Ｘに対して、主配索材Ｗ１から分岐位置で分岐する分岐配索材Ｗ２を挟んで位置する一対の移動規制凹部３０、４０に一部が収容されるようにして主配索材Ｗ１と分岐配索材Ｗ２と本体部１０とに巻き回されることで、主配索材Ｗ１、分岐配索材Ｗ２と本体部１０とを相対移動しないように固定する。より詳細には、巻き回し部材５０は、移動規制凹部３０、４０を構成する切り欠き部３１ａ、３１ｂ、４１ａ、４１ｂを通って主配索材Ｗ１と分岐配索材Ｗ２と本体部１０とに巻き回されることで、一部が切り欠き部３１ａ、３１ｂ、４１ａ、４１ｂに収容された状態で主配索材Ｗ１、分岐配索材Ｗ２と本体部１０とを固定する。これにより、プロテクタ１は、巻き回し部材５０の一部が収容された移動規制凹部３０、４０の端面、ここでは、切り欠き部３１ａ、３１ｂ、４１ａ、４１ｂの端面が巻き回し部材５０の押え部となり、当該巻き回し部材５０が挿通方向Ｘに沿って移動することを規制する。そして、プロテクタ１は、粘着性の巻テープ等によって構成される巻き回し部材５１等を介して各固定部１０ｄに主配索材Ｗ１が束ねられた状態で固定される。巻き回し部材５１は、主配索材Ｗ１と各固定部１０ｄとに巻き回されることで、主配索材Ｗ１と各固定部１０ｄとを相対移動しないように固定する。なお、このプロテクタ１は、上述の巻き回し部材５０、５１以外の部分にも巻き回し部材が巻き回され主配索材Ｗ１と本体部１０とを相対移動しないように固定されてもよい。
【００２６】
以上で説明したプロテクタ１、ワイヤハーネスＷＨは、主配索材Ｗ１が挿通される本体部１０に形成された切り欠き部２０によって主配索材Ｗ１から分岐する分岐配索材Ｗ２の分岐位置を位置合わせすることができると共に、切り欠き部２０を挟むようにして本体部１０に形成された一対の移動規制凹部３０、４０によって主配索材Ｗ１、又は、分岐配索材Ｗ２に巻かれて本体部２０に固定される巻き回し部材５０が挿通方向Ｘに沿って移動することを規制することができる。つまり、このプロテクタ１、ワイヤハーネスＷＨは、主配索材Ｗ１と分岐配索材Ｗ２とによって構成される配索材Ｗに組み付けられるプロテクタ１において、切り欠き部２０と、一対の移動規制凹部３０、４０とが設けられることで、配索材Ｗを構成する主配索材Ｗ１、分岐配索材Ｗ２とプロテクタ１とを適正に固定し相対的に位置ズレし難いように構成することができる。例えば、プロテクタ１、ワイヤハーネスＷＨは、ワイヤハーネスＷＨを作製するためのいわゆる配索治具板上で、プロテクタ１と分岐配索材Ｗ２の分岐位置とを位置合わせしなくても分岐配索材Ｗ２と切り欠き部２０との位置関係を基準として主配索材Ｗ１、分岐配索材Ｗ２とプロテクタ１とを適正な位置関係で位置決めすることができる。これにより、プロテクタ１、ワイヤハーネスＷＨは、組み付け性を向上し主配索材Ｗ１、分岐配索材Ｗ２とプロテクタ１とをより高精度に位置合わせし易い構成とすることができる。この結果、プロテクタ１、ワイヤハーネスＷＨは、適正な位置からの位置ズレを抑制することができる。
【００２７】
さらに、以上で説明したプロテクタ１、ワイヤハーネスＷＨは、配置空間部１１を挟んで対向する一対の側壁部１０ａ、１０ｂの端部に形成され移動規制凹部３０、４０を構成する切り欠き部３１、４１に巻き回し部材５０の一部が収容されることで、当該切り欠き部３１、４１の端面が巻き回し部材５０の押え部となり、当該巻き回し部材５０が挿通方向Ｘに沿って移動することを規制することができる。また、プロテクタ１、ワイヤハーネスＷＨは、巻き回し部材５０が切り欠き部３１、４１を通って主配索材Ｗ１、分岐配索材Ｗ２、本体部１０に巻き回されることでより確実に主配索材Ｗ１、分岐配索材Ｗ２、本体部１０に巻き回すことができ、より確実に位置決めし固定することができる。
【００２８】
さらに、以上で説明したプロテクタ１、ワイヤハーネスＷＨは、移動規制凹部３０、４０を構成する切り欠き部３１ａ、３１ｂ、４１ａ、４１ｂがそれぞれ一対の側壁部１０ａ、１０ｂにおいて幅方向Ｚに対して対向する位置に一対で形成されることから、より確実に巻き回し部材５０が挿通方向Ｘに沿って移動することを規制することができ、適正な位置からの位置ズレをより確実に抑制することができる。
【００２９】
なお、上述した本発明の実施形態に係るプロテクタ、及び、ワイヤハーネスは、上述した実施形態に限定されず、特許請求の範囲に記載された範囲で種々の変更が可能である。
【００３０】
以上で説明したプロテクタ１は、略樋形状に形成されるものとして説明したがこれに限らず、例えば、一部に蓋状部材が設けられ略筒形状に形成されてもよい。
【００３１】
以上で説明した一対の移動規制凹部３０、４０は、それぞれ、切り欠き部３１ａ、３１ｂ、４１ａ、４１ｂが一対の側壁部１０ａ、１０ｂにおいて幅方向Ｚに対して対向する位置に一対で形成されるものとして説明したがこれに限らない。一対の移動規制凹部３０、４０は、例えば、切り欠き部３１ａと切り欠き部４１ａとによって構成されてもよいし、切り欠き部３１ｂと切り欠き部４１ｂとによって構成されてもよいし、切り欠き部３１ａと切り欠き部４１ｂとによって構成されてもよいし、切り欠き部３１ｂと切り欠き部４１ａとによって構成されてもよい。
【００３２】
以上で説明した移動規制凹部３０、４０は、側壁部１０ａ、１０ｂの端部に形成された移動規制切り欠き部としての切り欠き部３１、４１を含んで構成されるものとして説明したがこれに限らない。移動規制凹部３０、４０は、例えば、側壁部１０ａ、１０ｂ、底部１０ｃの外面（配置空間部１１側とは反対側の面）に巻き回し部材５０の巻き回し方向に沿って延在して形成され巻き回し部材５０の一部を収容する凹部等であってもよい。この場合、移動規制凹部３０、４０は、当該凹部の壁面が巻き回し部材５０の押え部となり、当該巻き回し部材５０が挿通方向Ｘに沿って移動することを規制する。
【符号の説明】
【００３３】
１    プロテクタ
１０    本体部
１０ａ、１０ｂ    側壁部（壁面部）
１１    配置空間部
２０    切り欠き部（位置合わせ切り欠き部）
３０、４０    移動規制凹部
３１、３１ａ、３１ｂ、４１、４１ａ、４１ｂ    切り欠き部（移動規制切り欠き部）
５０、５１    巻き回し部材
Ｗ１    主配索材
Ｗ２    分岐配索材
ＷＨ    ワイヤハーネス
Ｘ    挿通方向
【図１】
2018023242.tif 000003
【図２】
2018023242.tif 000004
【図３】
2018023242.tif 000005